【手続補正書】
【提出日】平成15年7月9日(2003.7.9)
【手続補正１】
【補正対象書類名】明細書
【補正対象項目名】全文
【補正方法】変更
【補正の内容】
【発明の名称】シャワー装置
【特許請求の範囲】
【請求項１】シャワー装置本体と、使用者が着座する着座手段と、前記着座手段の高さ調節手段と、前記高さ調節手段の操作手段と、着座した使用者に温水を噴出する温水噴出手段を備えたシャワー装置。
【請求項２】シャワー装置本体と、使用者が着座する着座手段と、前記着座手段の高さ調節手段と、前記高さ調節手段の操作手段と、着座した使用者に温水を噴出する温水噴出手段と、前記温水噴出手段へ連通する流路と、前記流路に設けられた開閉弁と、前記開閉弁の開閉操作部とを有し、前記開閉操作部により前記温水噴出手段への流路を閉止すると前記高さ調節手段を駆動する構造としたシャワー装置。
【請求項３】操作手段を使用者が座った状態で操作可能な位置に設けた請求項１または２記載のシャワー装置。
【請求項４】着座手段は、上昇に伴い着座面が略水平方向から略垂直方向に回動する構成とした請求項１ないし３のいずれか１項記載のシャワー装置。
【請求項５】操作手段はシャワー装置本体と着脱可能とした請求項１ないし４のいずれか１項記載のシャワー装置。
【請求項６】シャワー装置本体と、使用者が着座する着座手段と、着座した使用者に温水を噴出する温水噴出手段と、前記シャワー装置本体に支持された移動可能なアームと、前記アームを移動するアーム調節手段と、前記アーム調節手段の操作を行うアーム操作手段を備えたシャワー装置。
【請求項７】アームに少なくとも１つの温水噴出手段を設け、前記アームを所定の範囲内で駆動する自動アーム操作部を備えた請求項６記載のシャワー装置。
【請求項８】アームに使用者の立ち座りを補助する動作補助手段を設けた請求項６または７記載のシャワー装置。
【発明の詳細な説明】
【０００１】
【発明の属する技術分野】
本発明は、着座した使用者に温水を噴出するシャワー装置に関するものである。
【０００２】
【従来の技術】
従来のこの種のシャワー装置（例えば実開昭６３−１０８９５４号公報）を図１１に示す。
【０００３】
図１１において、シャワーブース４１は水平断面形状が方形のものであり、一側壁面４２にはブース内に出入りするためのドア４３が設けられている。また、他の壁面４４にはシャワー水栓４５、水ハンドル４６、湯ハンドル４７、ホース４８、シャワーヘッド４９、シャワーフック５０、およびフック５０をスライド自在に支持するロッド５１からなるシャワー装置が設けられている。また、ブース４１内の向かい合う壁面５２、５３には、それぞれ折り畳み式の椅子５４と、テーブル５５および足置き５６が設けられている。椅子５４と、テーブル５５および足置き５６は、ヒンジ５７により倒立自在に壁面５２、５３に取り付けられている。この椅子５４、テーブル５５および足置き５６には、磁石または鉄板５４ａ、５５ａ、５６ａが埋設されており、図１２に示す壁面５２、５３に埋設された鉄板または磁石５４ｂ、５５ｂ、５６ｂとの磁力により、折り返された際の系止が行われるようになっている。
【０００４】
そして、使用者は椅子５４に座ったり、テーブル５５に寄りかかったりしてシャワーを浴びることができるとともに、未使用時には椅子５４、テーブル５５および足置き５６を収納してシャワールブース４１を広く利用できるというものであり、図１１は椅子５４と、テーブル５５および足置き５６の未使用状態を、図１２は椅子５４と、テーブル５５および足置き５６の使用状態を示している。
【０００５】
【発明が解決しようとする課題】
しかしながら、従来のシャワー装置では、椅子の高さを変更できないため、使用者がその体格に適応しない場合には、逆に不快に感じるという課題があった。特に高齢者や子供が入浴した際に、足が床面に着かないなど不安定な状態でシャワーを浴びるという可能性があった。
【０００６】
また、椅子１４や足置き１６等を収納する際に屈んで操作する必要があり、高齢者や子供にとって負担になるという課題があった。
【０００７】
【課題を解決するための手段】
本発明は前記する課題を解決するために、シャワー装置本体と、使用者が着座する着座手段と、前記着座手段の高さ調節手段と、前記高さ調節手段の操作手段と、着座した使用者に温水を噴出する温水噴出手段を有するものである。
【０００８】
従って、高さ調節手段により使用者の体格にあわせて着座手段の高さを調節できるので、安定して座ることができ、快適に温水を浴びることが可能となる。
【０００９】
【発明の実施の形態】
本発明のシャワー装置は、シャワー装置本体と、使用者が着座する着座手段と、前記着座手段の高さ調節手段と、前記高さ調節手段の操作手段と、着座した使用者に温水を噴出する温水噴出手段を有するものである。
【００１０】
そして、上記発明により、高さ調節手段により使用者の体格にあわせて着座手段の高さを調節できるので、安定して座ることができ、快適に温水を浴びることが可能となる。
【００１１】
また、本発明のシャワー装置は、シャワー装置本体と、使用者が着座する着座手段と、着座手段の高さ調節手段と、高さ調節手段の操作手段と、着座した使用者に温水を噴出する温水噴出手段と、温水噴出手段へ連通する温水の流路と、流路に設けられた開閉弁と、開閉弁の開閉操作部とを有し、開閉操作部により温水噴出手段への流路を閉止すると高さ調節手段を駆動する構造として構成したものである。
【００１２】
そして、使用者が開閉弁操作部により開閉弁を閉止し、シャワー浴を終了した際に、着座手段が開閉弁の閉止操作と連動して高さが調節されるので、使用者はシャワー浴が終了した後、操作手段の操作を行うことなく、立ち上がることができる。
【００１３】
また、本発明のシャワー装置は、操作手段を使用者が座った状態で操作可能な位置に設けて構成したものである。
【００１４】
そして、使用者が座った状態で着座手段の高さを変えることができるので、高さ調節のための立ち座りを行う必要がなく、使用者の負担を軽減できる。特に立ち上がりの際には椅子を上部まで高くすることにより楽に動作を行えるので、高齢者や介護者の負担を軽減できる。
【００１５】
また、本発明のシャワー装置は、着座手段は上昇に連動し着座面が略水平方向から略垂直方向に回動する構成としたものである。
【００１６】
そして、使用者が高さ調節手段により着座手段の高さを上昇させて立ち上がる際に、使用者の立ち上がり時の着座部角度変化に対応して、着座面が上昇に伴い回動するので、使用者はより簡単に立ち上がり動作を行うことができる。
【００１７】
また、本発明のシャワー装置は、操作手段をシャワー装置本体と着脱可能として構成したものである。
【００１８】
そして、操作手段をどこでも使用できるので、使用者が手元で簡単に操作を行え、また、浴室外から事前に着座手段を座りやすい高さに調節できるとともに、介護者が必要な場合の操作性を向上できる。
【００１９】
また、本発明のシャワー装置は、シャワー装置本体と、使用者が着座する着座手段と、着座した使用者に温水を噴出する温水噴出手段と、シャワー装置本体に支持された移動可能なアームと、アームを移動するアーム調節手段と、アーム調節手段の操作を行うアーム操作手段を備えて構成したものである。
【００２０】
そして、使用者がアーム操作手段を操作するとアーム調節手段によりアームが任意の位置に調節可能であり、アームの操作性を向上できる。
【００２１】
また、本発明のシャワー装置は、アームに少なくとも１つの温水噴出手段を設け、アームを所定の範囲内で駆動する自動アーム操作部を備えた構成としたものである。
【００２２】
そして、所定の範囲内でアームを自動的に移動し、温水噴出手段から噴出した湯水の身体に当たる領域が増加するので、湯水を浴びた際の温まり感を向上できる。
【００２３】
また、本発明のシャワー装置は、アームに使用者の立ち座りを補助する動作補助手段を設けて構成したものである。
【００２４】
そして、使用者が立ち座りする際にアームを補助として利用可能となり、使用者または介護者の動作の負担を軽減できる。特に、アームに駆動手段を設けた場合には、使用者の立ち座りの負担は大幅に軽減できる。
【００２５】
以下、本発明の実施例を図面を参照しながら説明する。
【００２６】
（実施例１）
図１は本発明の実施例１のシャワー装置の斜視図である。図２は椅子の要部構成図であり、図３はシャワー装置の操作部の外観図、図４はシャワー装置の椅子およびアームの動作説明図、図５（ａ）は椅子開閉時の動作説明図、図５（ｂ）はシャワー装置のアーム開閉時の動作説明図、図６はシャワー装置のアームの要部構成図、図７はシャワー装置の配管経路図である。
【００２７】
図１において、シャワー装置１は、浴室２の洗い場３に面した壁面４に取り付けられている。５はサーモバルブであり、カラン６から浴槽内への湯張りを行い、湯温調節、流量調節が可能となっている。
【００２８】
シャワー装置１において、７はシャワーを浴びる際に入浴者が座る着座手段の椅子であり、図２に示すようにシャワー装置本体１ａの内部で高さ調節手段である水圧駆動手段８によって支えられている。水圧駆動手段８は、シリンダ９とピストン１０から構成され、水圧伝達管１１からの水圧によってピストン１０が上下し、椅子７の高さを調節している。シリンダ９内の水圧は、制御弁１２と水抜き弁１３により圧力導入口１４と水抜き口１５を開閉することで調整される。すなわち、制御弁１２と水抜き弁１３が閉止されていれば、シリンダ１０内に水が充満しており、椅子は固定される。制御弁１２が開成され水抜き弁１３が閉止されるとシリンダ１０内に水圧がかかるので、ピストン９が押し上げられ椅子７が上昇する。また、制御弁１２が閉止され水抜き弁１３が開成されるとシリンダ１０内の水が抜けるので、ピストン９が自重により下がり椅子７が下降するようになっている。そして制御弁１２と水抜き弁１３は、操作部１６（図１）の高さ調節手段である椅子調節ボタン１７ａ、１７ｂ（図３）が選択された場合に制御手段１８により開閉される。
【００２９】
また、椅子７の支持部１９には椅子回転機構２０が設けられており、椅子７が揺動可能となっている。そして、操作部１６の椅子開閉ボタン２１の操作により、回転機構２０が椅子７を回転させ、使用しないときには椅子７を略垂直として収納し、使用時には略水平とすることができる。
【００３０】
前記シャワー装置１にはアーム２２が設けてあり、このアーム２２は図６に示すようにシャフト２３により連結され、シャワー装置本体１ａに取り付けてある。そして電動のアーム調節手段であるアーム回転機構２４により回転移動が可能となっている。すなわちアーム２２を未使用時にはアーム２２の先端を壁面３に近づけた状態で収納できる。このアーム２２の操作は、手動で行えるとともに、操作部１６に設けられたアーム操作手段であるアーム調節ボタン２５ａ、２５ｂおよびアーム開閉ボタン２５ｃでも行えるようになっている。またアーム２２には、温水噴出手段であるノズル２６ａ、２６ｂ、２６ｃが設けられており、アーム２２内部の流路配管２７を通ってきた湯水をそれぞれ胸部、腹部、脚部に向け噴出する。ノズル２６は、流体を霧状で噴出する構成であり、それぞれの部位を霧状の湯水で包み込む。また操作部１６にはアーム２２を所定の範囲内で自動的に移動する自動ボタン２８が設けられ、湯水で包み込まれる領域をより拡げられるようになっている。
【００３１】
一方、シャワー装置本体１にはノズル２６ｄ、２６ｅが設けられ、これらはそれぞれ肩部、腰部に向け霧状の湯水を噴出しており、前記ノズル２６ａ、２６ｂ、２６ｃと併せて、霧状の湯水で身体全体を包み込む。
【００３２】
シャワー装置１の配管流路経路を図７に示す。湯水の供給路である給水管２９と給湯管３０はそれぞれ混合弁３１に連通しており、混合弁３１は操作部１６に設けられた湯温設定ボタン３２ａ、３２ｂにより設定された温度となるように湯水の混合比を調節する。混合弁３１下流には、身体を洗った後や洗髪等に使用するハンドシャワー３３とノズル２６ａ〜２６ｅからの湯水の噴出を行うミストシャワー３４への湯水の切り替え、それぞれの流量調節および閉止を行う開閉弁である切替弁３５が設けられている。ハンドシャワー３３またはミストシャワー３４から湯水を出す場合、開閉操作部であるハンドシャワー開成ボタン３６ａ、ミストシャワー開成ボタン３６ｂを選択し、流量の変更を行う場合は流量調節ボタン３７ａ、３７ｂによって調節する。また、開閉操作部である閉止ボタン３８が選択されると、切替弁３５が閉止され、それぞれのシャワーが止められる。また、水圧伝達管１１は、給水管２９から分岐され、制御弁１２に連通しており、供給水圧をシリンダ１０内に導けるようになっている。
【００３３】
操作部１６は図１に示すように通常座った使用者が最も使いやすいアームに取り付けられているが、無線式となっており取り外しが可能で浴室２の外からでも操作が可能である。
【００３４】
以上の構成において本実施例の動作について説明する。
【００３５】
ミストシャワー３４の未使用時には浴室２の洗い場３が広く使え、圧迫感を与えないように、椅子７およびアーム２２は図５（ｂ）の実線のように収納された状態になっている。入浴者がミストシャワー３４を使用する場合に、椅子開閉ボタン２１とアーム開閉ボタン２５ｃをが選択すると、制御手段１８により椅子回転機構２０とアーム回転機構２４が駆動され、椅子７およびアーム２２を図１に示す使用状態にセットする。従って、椅子７とアーム２２を動かす負担が軽減されるとともに、高齢者や子供でも簡単に使用できる。また、操作部１６を取り外し外部から予め椅子７とアーム２２を出しておけば、介護者が必要な入浴者のケースなどの介護者の負担をも軽減できる。
【００３６】
この状態で、ミストシャワー開成ボタン３６ｂが選択されると、切替弁３５のミストシャワー側が開成される。切替弁３５が開成されると、湯水が給水管２９と給湯管３０から混合弁３１に供給され、混合弁３１は温度設定ボタン３２ａ、３２ｂにより設定された温度となるように湯水を混合する。設定温度に混合された湯は、切替弁３５、配管２７を通ってミストシャワー３４のノズル２６ａ〜２６ｅに供給され、ノズル２６ａ〜２６ｅから霧状の湯となって噴出する。そして、椅子７に座った入浴者の全身を霧状の湯で包み込むため、少量の湯で入浴と同等の温まり感を得られるようになっている。
【００３７】
ミストシャワー３４を浴びる際に、椅子７の標準位置で座り心地が悪ければ椅子調節ボタン１７ａ、１７ｂにより、入浴者は体格に応じた高さに調節できる。高さを上げるように椅子調節ボタン１７ａが選択されると、通常、閉止された制御弁１２と水抜き弁１３のうち、制御弁１２が所定の時間あるいは椅子調節ボタン１７ａを操作している間開成される。制御弁１２が開成されると、供給水圧が水圧伝達管１１を介して圧力導入口１４よりシリンダ１０内にかかるため、ピストン９を上昇する力が作用し、シリンダ１０内に水が流入されるとともに、ピストン９が上昇し、椅子７が高くなる。そして、所定の時間が経過した後、制御弁１２が閉止され椅子７の高さを維持する。制御弁１２と水抜き弁１３が閉止されていれば、シリンダ１０内部に水が充満しており、ピストン９は下がらないため椅子７の高さは維持される。
【００３８】
高さを下げるように椅子調節ボタン１７ｂが選択されると、通常、閉止された制御弁１２と水抜き弁１３のうち、水抜き弁１３が所定の時間あるいは椅子調節ボタン１７ｂを操作している間開成される。水抜き弁１３が開成されると、シリンダ１０の水抜き口１５から入浴者、椅子７、およびピストン９の自重により内部の水が押し出される。従って、ピストン９が下降し、椅子７の高さが下がる。従って、座った状態でも介護者や入浴者がボタンの操作のみで椅子７の高さをを調節でき、立ち座りやかがみ込む動作負担を無くせるとともに、快適にミストシャワー３４を浴びることができる。
【００３９】
ノズル２６ａ〜２６ｅは入浴者の体格に応じて、全身を包み込むようにその噴出方向を変えることができるようになっている。自動ボタン２８を選択すると、アーム回転機構２４が駆動され、アーム２２は図４に示すように所定の範囲を往復移動する。それにより、入浴者の身体をより広範囲に渡り暖めることができるとともに、単調になりがちな入浴感を変え、快適にミストシャワー３４を楽しむことができる。
【００４０】
閉止ボタン３８が選択されると、切替弁３５が閉止され、ミストシャワー３４を終えるようになっている。ここで立ち上がる際に、椅子調節ボタン１７ａ、１７ｂを選択することにより椅子７を上昇させると、高齢者などの足腰が弱い人の立ち上がりの補助が可能となる。使用した後、椅子７およびアーム２２は、椅子開閉ボタン２１およびアーム開閉ボタン２５ｃを選択し、収納できるようになっている。
【００４１】
このように実施例１によれば、椅子７とアーム２２を電気で駆動される椅子回転機構２０とアーム回転機構２４により移動可能とし、それぞれの開閉ボタン２１、２５ｃにより使用状態あるいは収納状態に操作できる構成としたので、入浴者が屈み込んだり、介護者が入浴者を支えながら操作する際の身体的負担を大幅に軽減できる。
【００４２】
また、操作部１６を取り外し可能とし、浴室２外部から操作可能としたので、入浴前に椅子７とアーム２２を使用状態にセットし、ミストシャワー３４を開成することによって、使用前に冷えた椅子７や浴室２内を暖めておくことができ、不快感をなくせるとともに、血圧の上昇を抑制できる。特に、ノズル２６ａ〜２６ｅは湯を霧状とするため、気体への接触面積が大きくなり少ない湯量でより浴室２内を暖めることができる。また、事前に椅子７を使用状態にできるので、介護者は一旦浴室２内に入り入浴準備を行う必要がない。
【００４３】
さらに、ピストン９とシリンダ１０を設け、水圧を利用して椅子７の高さを高さ調節ボタン１７ａ、１７ｂを選択することにより調節できる構成としたので、入浴者が高さ調節を行う際に立ち座りや屈みこむ必要がなくなり、座った状態で行えるので、入浴者や介護者の身体的負担を軽減できるとともに、体格にあった椅子７の高さで快適にミストシャワー３４を浴びることができる。
【００４４】
加えて、操作部１６を使用者が座った状態で使用しやすいようにアーム２２に取り付けられるので、操作性が向上し、高齢者や子供でも簡単に使用することができる。
【００４５】
さらに、アーム２２を所定の範囲内で、自動的に移動する構成としたので、入浴者はノズル２６からの霧状の湯をより広範囲で浴びることになり、浴槽に入浴した場合と同等の温まり感を得られ、快適なミストシャワー３４を浴びることができる。特に湯が霧状に噴霧されるのでシャワー水滴のような圧力感がなく、圧力的負担の少ない快適なシャワー浴が可能となる。また、アーム２２が移動することで、ノズル２６の湯の噴出領域が変わるため、視覚的、感覚的に使用状態が変化し、ミストシャワー３４をより楽しむことができる。なお、アーム２２の移動範囲は、温まり感を損なわないためにも、ノズル２６ａ、２６ｂ、２６ｃからの湯が身体に当たる範囲で行われることが望ましい。
【００４６】
なお、椅子７の高さ調節手段として水圧駆動手段を用いているが、電気的駆動手段を用いても同様の効果がある。
【００４７】
また、本実施例ではアーム回転機構２４および椅子回転機構２０に電気的駆動手段を用いているが、それぞれを水圧を利用した水圧駆動手段とすれば、使用電力の大幅な低減ができ、電池のみで各弁の制御が可能となるので、配線等の工事が不必要となり、設置性を向上できる。
【００４８】
さらに、操作部１６を固定式とし、各弁の開閉操作を手動で行うようにすれば、電気が不要となり、設置性が向上するとともに、電池交換等のメンテナンスも不要となる。
【００４９】
（実施例２）
図８は実施例２のシャワー装置のアームの部分部拡大図であり、図９はアーム動作説明図であり、実施例１と異なるのは、アーム２２に入浴者が持つことのできる動作補助手段である手摺部３９と、操作部１６に立ち上がり補助ボタン４０を設けた構成としている点である。
【００５０】
上記構成において、実施例１と異なる作用のみ説明する。入浴者が立ち上がりの際に使用者が立ち上がり補助ボタン４０を選択すると、図９に示すようにアーム２２がアーム回転機構２４により所定の高さまで移動する。そして、手摺部３９に掴まっていた入浴者の立ち上がり時の腰や足にかける力を軽減するように作用する。
【００５１】
この実施例２によれば、立ち上がり補助ボタン４０を選択することによりアーム２２が所定の高さまで上昇し、手摺部３９に掴まった入浴者の立ち上がりを補助しているので、腰や足にかかる負担を大幅に低減できる。また、入浴時にも手摺部３９を持つことにより、身体が安定するので、体の弱い人や高齢者が安心してミストシャワー３４を浴びることができる。
【００５２】
なお、本実施例では、立ち上がり補助ボタン４０を設けているが、立ち上がり補助ボタン４０を閉止ボタン３８と兼用し、ミストシャワー３４が開成された状態から閉止ボタン３８を選択すると、ミストシャワー３４が終了し、アーム２２が所定の高さまで上昇する構成とすると、操作回数および操作ボタン数を低減でき、操作性を向上できる。
【００５３】
（実施例３）
図１０は椅子７の収納時の動作説明図であり、実施例１と異なるのは、椅子７を収納する際に、入浴者の立ち上がり動作を補助するように、椅子７の座面４１が上昇に伴い、略水平から徐々に下側に傾くように動作する構成となっている点である。
【００５４】
上記構成において、実施例１と異なる作用のみ説明する。入浴者がミストシャワー３４を浴びた後、立ち上がるときに、椅子開閉ボタン２１ａが選択されると、椅子７は所定の高さまで徐々に上昇しながら、椅子回転機構２０も椅子７の高さに応じて徐々に回転し、椅子７の先端が下になるように椅子７の座面４１が傾斜する。従って、椅子７の収納動作を行いながら、入浴者は椅子７に押されるように立ち上がることができる。
【００５５】
この実施例３によれば、椅子７を収納する際に、入浴者の立ち上がり動作を補助するように、椅子７の座面４１が上昇に伴い、略水平から徐々に下側に傾くように動作する構成としているので、入浴者は椅子７に押されるように補助され楽に立ち上がることができ、身体の負担を軽減できる。また、併せて椅子７の収納動作を行うことができる。
【００５６】
なお、椅子７とアーム２２を連動させ同時に収納するように構成すれば、立ち上がった後、浴室２の洗い場３を広く使用することができ、介護者や入浴者の利便性が向上する。
【００５７】
【発明の効果】
以上のように本発明のシャワー装置は、シャワー装置本体と、使用者が着座する着座手段と、前記着座手段の高さ調節手段と、前記高さ調節手段の操作手段と、着座した使用者に温水を噴出する温水噴出手段を有するものであり、高さ調節手段により使用者の体格にあわせて着座手段の高さを調節できるので、安定して座ることができ、快適に温水を浴びることが可能となる。
【００５８】
また、本発明のシャワー装置は、シャワー装置本体と、使用者が着座する着座手段と、着座手段の高さ調節手段と、高さ調節手段の操作手段と、着座した使用者に温水を噴出する温水噴出手段と、温水噴出手段へ連通する流路と、流路に設けられた開閉弁と、開閉弁の開閉操作部とを有し、開閉操作部により湯水噴出手段への流路を閉止すると、高さ調節手段を駆動する構造として構成したものであり、使用者が開閉弁操作部により開閉弁を閉止し、シャワー浴を終了した際に、着座手段が開閉弁の閉止操作と連動して高さが調節されるので、使用者はシャワー浴が終了した後、操作手段の操作を行うことなく、立ち上がることができる。
【００５９】
また、本発明のシャワー装置は、操作手段を使用者が座った状態で操作可能な位置に設けて構成したものであり、使用者が座った状態で着座手段の高さを変えることができるので、高さ調節のための立ち座りを行う必要がなく、使用者の負担を軽減できる。特に立ち上がりの際には椅子を上部まで高くすることにより楽に動作を行えるので、高齢者や介護者の負担を軽減できる。
【００６０】
また、本発明のシャワー装置は、着座手段は上昇に連動し着座面が略水平方向から略垂直方向に回動する構成としたものであり、使用者が高さ調節手段により着座手段の高さを上昇させて立ち上がる際に、使用者の立ち上がり時の着座部角度変化に対応して、着座面が上昇に伴い回動するので、使用者はより簡単に立ち上がり動作を行うことができる。
【００６１】
また、本発明のシャワー装置は、操作手段をシャワー装置本体と着脱可能として構成したものであり、操作手段をどこでも使用できるので、使用者が手元で簡単に操作を行え、また、浴室外から事前に着座手段を座りやすい高さに調節できるとともに、介護者が必要な場合の操作性を向上できる。
【００６２】
また、本発明のシャワー装置は、シャワー装置本体と、使用者が着座する着座手段と、着座した使用者に温水を噴出する温水噴出手段と、シャワー装置本体に支持された移動可能なアームと、アームを移動するアーム調節手段と、アーム調節手段の操作手段を備えて構成したものであり、使用者がアーム操作手段を操作するとアーム調節手段によりアームが任意の位置に調節可能であり、アームの操作性を向上できる。
【００６３】
また、本発明のシャワー装置は、アームに少なくとも１つの温水噴出手段を設け、アームを所定の範囲内で駆動する自動アーム操作部を備えた構成としたものであり、所定の範囲内でアームを自動的に移動し、温水噴出手段から噴出した湯水の身体に当たる領域が増加するので、湯水を浴びた際の温まり感を向上できる。
【００６４】
また、本発明のシャワー装置は、アームに使用者の立ち座りを補助する動作補助手段を設けて構成したものであり、使用者が立ち座りする際にアームを補助として利用可能となり、使用者または介護者の動作の負担を軽減できる。特に、アームに駆動手段を設けた場合には、使用者の立ち座りの負担は大幅に軽減できる。
【図面の簡単な説明】
【図１】本発明の実施例１におけるシャワー装置の斜視図
【図２】同シャワー装置の椅子の要部構成図
【図３】同シャワー装置の操作部の外観図
【図４】同シャワー装置の椅子およびアームの動作説明図
【図５】（ａ）同シャワー装置の椅子開閉時の動作説明図
（ｂ）同シャワー装置のアーム開閉時の動作説明図
【図６】同シャワー装置のアームの要部構成図
【図７】同シャワー装置の配管経路図
【図８】本発明の実施例２におけるシャワー装置のアームの部分拡大図
【図９】同シャワー装置のアーム動作説明図
【図１０】本発明の実施例３のシャワー装置の動作説明図
【図１１】従来のシャワー装置の外観図
【図１２】同シャワー装置の使用状態説明図
【符号の説明】
１  シャワー装置
１ａ  シャワー装置本体
７  椅子（着座手段）
８  水圧駆動手段（高さ調節手段）
１１  水圧伝達管
１７ａ、１７ｂ  椅子調節ボタン（操作手段）
２０  椅子回転機構（高さ調節手段）
２４  アーム回転機構（アーム調節手段）
２５ａ、２５ｂ  アーム調節手段
２６ａ〜２６ｅ  ノズル（温水噴出手段）
２８  自動ボタン（自動アーム操作部）
２９  給水管（流路）
３０  給湯管（流路）
３５  切替弁（開閉弁）
３６ｂ  ミストシャワー開成ボタン（開閉操作部）
３８  閉止ボタン（開閉操作部）
３９  手摺部（動作補助手段）